(57)【要約】【課題】  最初のシステム構築時やトラブル発生時の接続確認が容易で、複数の監視対象機器を監視できる複数機器監視システム、接続検証方法、及び複数機器統合監視システム構築方法を提供し、コスト面及び運用面で効率性の高い機器監視を実現する。【解決手段】  複数機器統合監視システムに、他の装置に電気通信回線を通じて監視対象機器の監視状況の確認を許容する通信ユニットと、個別制御信号による制御状態を監視対象機器毎に表示手段に表示する接続ユニットとを備えた。【選択図】    図１
2005223786.tif 000002
【特許請求の範囲】
【請求項１】
電気通信回線を通じて通信を行う通信手段、及び上記電気通信回線に接続した他の装置に対して監視対象機器の監視状況の確認を許容する制御手段で構成する通信ユニットと、
複数の前記監視対象機器を接続する監視対象機器接続手段、前記機器制御信号を受信する受信手段、該機器制御信号に基づいて上記監視対象機器のそれぞれに対して該当する個別制御信号を送信する送信信号制御手段、及び該個別制御信号による制御状態を監視対象機器毎に表示する表示手段で構成する接続ユニットとを備えた
複数機器統合監視システム。
【請求項２】
前記通信ユニットに、前記監視対象機器に対する監視制御内容を定める制御設定情報を記憶する記憶手段を備え、
前記接続ユニットを複数台接続して備え、
各接続ユニットに接続したそれぞれの監視対象機器を該接続ユニット単位でグループとして捉え、該グループ単位で前記監視制御内容を設定可能に前記制御設定情報を設定した
請求項１記載の複数機器統合監視システム。
【請求項３】
前記通信ユニットの制御手段で実行する処理に、
所定の時間単位で使用電力量を前記記憶手段に格納する使用電力量記憶処理と、
該使用電力量を送信する宛先と送信タイミングを設定許容する送信設定処理と、
上記送信タイミングで上記宛先に上記使用電力量を送信する送信処理とを設定した
請求項１又は２記載の複数機器統合監視システム。
【請求項４】
請求項１、２又は３記載の複数機器統合監視システムを使用し、
前記通信ユニットから前記電気通信回線を介して携帯情報端末で前記確認用の機器制御信号を受信し、
該機器制御信号を携帯情報端末の表示手段に表示し、
該表示と前記接続ユニットの表示手段に表示される制御状態とを比較して接続ユニットと監視対象機器の誤接続を検証する
接続検証方法。
【請求項５】
請求項４記載の接続検証方法を使用して複数機器統合監視システムを構築する
複数機器統合監視システム構築方法。
【発明の詳細な説明】
【技術分野】
【０００１】
この発明は、例えば空調機、水道メータ、ガス漏れ検知器、火災検知機等の複数の機器を監視するような複数機器監視システムに関する。
【背景技術】
【０００２】
従来、空調機を監視、制御する使用電力制御システムとして、電力デマンド制御方式が提案されている（特許文献１参照）。該電力デマンド制御方式は、使用電力量の予測結果に基づいて使用電力量が超過しないように空調設備をきめ細かく制御することを目的としている。
【０００３】
このような使用電力制御システムでは、システム構築時やトラブル発生時に、各機器の接続確認や問題箇所の特定が複数人で手作業で行われている。詳述すると、１人の作業者が空調機を制御する制御装置に付き、他方の作業者が空調機について、無線で会話しながらテスタを用いて息を合わせて確認するといった作業を、１つの空調機毎に順番に実行して行われている。
【０００４】
このような確認方法では、制御装置の設置状況や空調機の設置状況によって、作業者は耐力消耗の激しい姿勢でチェックすることが余儀なくされ、作業者の負担が過大であると共に、全設備の点検に相当の時間を要する問題があった。
【０００５】
一方、複数種類の監視対象機器を監視するシステムとしては、ドアや窓からの侵入検知、モニターカメラによる画像録画、ガスや煙による火災検知、水道メータの検知と開閉、電力メータの検知とＯＮ／ＯＦＦ制御を実行できるホームセキュリティシステムが提案されている（特許文献２参照）。
【０００６】
しかし、このようなホームセキュリティシステムは、１家庭内での監視を想定しているため、制御内容及び監視内容が単純であり、複数の建物や複数のフロア単位での管理を希望し、設備の追加、変更、削除が発生するような企業等での利用には不十分であった。
【０００７】
【特許文献１】特開昭６３−２３４８３７号公報
【特許文献２】特開２００２−１５７６６５号公報
【発明の開示】
【発明が解決しようとする課題】
【０００８】
この発明は、最初のシステム構築時やトラブル発生時の接続確認が容易で、複数の監視対象機器を監視できる複数機器監視システム、接続検証方法、及び複数機器統合監視システム構築方法を提供し、コスト面及び運用面で効率性の高い機器監視を実現することを目的とする。
【課題を解決するための手段】
【０００９】
この発明は、電気通信回線を通じて通信を行う通信手段、及び上記電気通信回線に接続した他の装置に対して監視対象機器の監視状況の確認を許容する制御手段で構成する通信ユニットと、複数の前記監視対象機器を接続する監視対象機器接続手段、前記機器制御信号を受信する受信手段、該機器制御信号に基づいて上記監視対象機器のそれぞれに対して該当する個別制御信号を送信する送信信号制御手段、及び該個別制御信号による制御状態を監視対象機器毎に表示する表示手段で構成する接続ユニットとを備えた複数機器統合監視システムであることを特徴とする。
【００１０】
前記監視対象機器は、エアコン本体やエアコンの室外機といった空調機、照明機器、家電製品、水道制御機器、ガス制御機器、煙検知装置、火災検知装置、監視カメラ装置、鍵開錠施錠監視装置、又はこれらの複数等、監視対象となる機器で構成することを含む。
【００１１】
前記接続ユニットの表示手段は、ＬＥＤ等のランプ、数値等のデジタル表示が可能なデジタル表示装置、又は液晶表示装置等、監視対象機器のＯＮ／ＯＦＦ状況や制御信号による制御有無状況等の制御状態を表示可能な装置で構成することを含む。
【００１２】
前記構成により、監視対象機器を監視制御することができると共に、ノート型パソコンやＰＤＡ等の携帯情報端末を用いてインターネット越しに通信ユニットから機器制御信号を受信し、接続ユニットの表示手段の表示を確認して監視対象機器の誤接続の有無、誤接続の場合にどの接続が誤っているかの判断を行うことができる。
【００１３】
この発明の態様として、前記通信ユニットに、前記監視対象機器に対する監視制御内容を定める制御設定情報を記憶する記憶手段を備え、前記接続ユニットを複数台接続して備え、各接続ユニットに接続したそれぞれの監視対象機器を該接続ユニット単位でグループとして捉え、該グループ単位で前記監視制御内容を設定可能に前記制御設定情報を設定することができる。
【００１４】
これにより、例えばビル内の各階単位でグループ化して監視制御を行う等、柔軟な設定による監視制御を行うことができる。
【００１５】
またこの発明の態様として、前記通信ユニットの制御手段で実行する処理に、所定の時間単位で使用電力量を前記記憶手段に格納する使用電力量記憶処理と、該使用電力量を送信する宛先と送信タイミングを設定許容する送信設定処理と、上記送信タイミングで上記宛先に上記使用電力量を送信する送信処理とを設定することができる。
【００１６】
これにより、例えば使用電力量を日報としてインターネットを介してパソコンへ送信し、パソコンで使用電力量を蓄積して管理する等、監視データの有効活用を図ることが可能となる。
【００１７】
またこの発明は、前記複数機器統合監視システムを使用し、前記通信ユニットから前記電気通信回線を介して携帯情報端末で前記確認用の機器制御信号を受信し、該機器制御信号を携帯情報端末の表示手段に表示し、該表示と前記接続ユニットの表示手段に表示される制御状態とを比較して接続ユニットと監視対象機器の誤接続を検証する接続検証方法とすることができる。
【００１８】
前記携帯情報端末は、ノートパソコン、ＰＤＡ、又は携帯電話等、携帯が可能な情報端末で構成することを含む。
【００１９】
前記構成により、携帯情報端末を用いてインターネット越しに通信ユニットから機器制御信号を受信し、接続ユニットの表示手段の表示を確認して監視対象機器の誤接続の有無、誤接続の場合にどの接続が誤っているかの判断を行うことができる。
【００２０】
またこの発明は、前記接続検証方法を使用して複数機器統合監視システムを構築する複数機器統合監視システム構築方法とすることができる。
【００２１】
これにより、監視対象機器が膨大な数となるような大規模の複数機器統合監視システムであっても、誤接続の有無を容易に検証して効率よく構築することができる。
【発明の効果】
【００２２】
この発明により、低コストで拡張性が高く複数の監視対象機器を監視できる複数機器監視システムを提供し、コスト面及び運用面で効率性の高い機器監視を可能とすることができる。
【発明を実施するための最良の形態】
【００２３】
この発明の一実施形態を以下図面と共に説明する。  
まず、図１に示すシステム構成図と共に、複数機器監視システム１のシステム構成について説明する。
【００２４】
複数機器監視システム１は、電力計量機２、デマンドコントローラ３、演算コントローラ（演算ユニット）４、通信コントローラ５、Ｉ／Ｏユニット１０、エアコン室外機１１、監視カメラ１２、及びインターネット６に接続可能なデスクトップ型ＰＣ（パーソナルコンピュータ）７ａやノート型ＰＣ７ｂや携帯電話８等のコンピュータで構成する。
【００２５】
前記デマンドコントローラ３は、電力量を計量する電力計量機２と接続し、該電力計量機２からパルス出力を受信し、設定された電力量に達すると前記演算コントローラ４にＤＯ（デジタルアウトプット）出力を行う。
【００２６】
前記演算コントローラ４は、前記デマンドコントローラ３と、インターネットに接続した通信コントローラ５とを接続している。  
また、該演算コントローラ４には、エアコン室外機１１を接続した場合はＤＯユニットとして機能し、監視カメラ１２を接続した場合はＤＩ（デジタルインプット）ユニットとして機能する複数のＩ／Ｏユニット１０を芋づる式に接続している。
【００２７】
前記通信コントローラ５は、インターネット６を介してデスクトップ型ＰＣ７ａやノート型ＰＣ７ｂや携帯電話８等のコンピュータと通信を行う。
【００２８】
以上の構成により、演算コントローラ４は、デマンドコントローラ３からＤＯ出力を受け取り、Ｉ／Ｏユニット１０を介してエアコン室外機１１を監視制御し、Ｉ／Ｏユニット１０を介して監視カメラ１２からの動画受信を行うことができる。
【００２９】
通信コントローラ５は、演算コントローラ４から各種情報を受信して記録すると共に各種設定情報を記録し、デスクトップ型ＰＣ７ａ、ノート型ＰＣ７ｂ、又は携帯電話８によりインターネット６を介して設定変更を受け付けると共に各種情報を送信することができる。
【００３０】
なお、演算コントローラ４をマスタとすればＩ／Ｏユニット１０はスレイブとなる関係にある。
【００３１】
次に、図２に示すデマンドコントローラ３の回路ブロック図と共に、デマンドコントローラ３の回路構成について説明する。
【００３２】
デマンドコントローラ３は、バス３３に接続して制御装置３１、記憶装置３２、計量機接続インタフェース３４、及び通信コントローラ接続インタフェース３５を備えている。
【００３３】
前記制御装置３１は、ＣＰＵ、ＲＯＭ、及びＲＡＭで構成し、電力計量機２からのパルス出力にて電力量が所定値以上になったと判定すると、警報信号をＤＯ出力する警報処理等、記憶装置３２に記憶した各種プログラムに基づいて各種処理を実行する。
【００３４】
前記記憶装置３２は、不揮発性メモリで構成し、各種プログラム、及び設定データを格納する。
【００３５】
前記計量機接続インタフェース３４は、電力計量機２を電気的に接続するためのインタフェースである。
【００３６】
前記通信コントローラ接続インタフェース３５は、通信コントローラ５を電気的に接続するためのインタフェースである。
【００３７】
以上の構成により、デマンドコントローラ３は電力計量機２からパルス出力を受信し、使用電力量が設定データに記憶している設定値に達すると、演算コントローラ４に警報信号を送信することができる。
【００３８】
この警報信号は、設定データに３段階の設定値を設定しており、どの段階か識別可能な段階情報を含めた警報信号としている。従って、後述するエアコン機器設定詳細テーブルのデマンド遮断１段設定、デマンド遮断２段設定、及びデマンド遮断３段設定（負荷パターンデータ）により、警報信号が各段階の負荷カーブを超えたら各段階の負荷制御を行うことが可能となる。
【００３９】
また、デマンド時限（３０分）の初期においては、瞬間電力として目標を超えても時限終了時点の通算電力が越えなければ目標をクリアするため、下駄を履かせた特性グラフ（目標ラインより使用電力が上回った状態で、該使用電力が目標ラインに近づくように推移するグラフ）とすると良い。
【００４０】
なお、前記警報信号は、使用電力量を含めた警報信号とすると良い。
【００４１】
次に、図３に示す演算コントローラ４の回路ブロック図と共に、演算コントローラ４の回路構成について説明する。
【００４２】
演算コントローラ４は、バス４３に接続して制御装置４１、記憶装置４２、通信コントローラ接続インタフェース（通信ユニット接続手段）４４、Ｉ／Ｏユニット接続インタフェース（接続ユニット接続手段）４５、及びＰＣ接続インタフェース４６を備えている。
【００４３】
前記制御装置４１は、通信コントローラ５から受信した監視設定データとデマンドコントローラ３から受信した警報信号に基づいて監視制御の内容を演算する演算処理、演算後の機器制御信号を前記接続ユニットに送信する制御信号送信処理、該機器制御信号を確認用に前記通信ユニットに送信する確認用送信処理、及び定期的にデマンドコントローラ３から受信する使用電力量を通信コントローラ５に転送する電力量転送処理等の各種処理を、記憶装置４２に格納した各種プログラムに従って実行する。
【００４４】
該演算処理としては、前記監視設定データから前記警報信号に該当する警報状態を検索し、監視対象機器に対する個別制御信号をＩ／Ｏユニット１０単位でグループ化し、該グループにＩ／ＯユニットのＩＤ番号を付与した機器制御信号を生成する。
【００４５】
前記警報信号以外にも監視対象機器の制御タイミングを演算コントローラ４に入力する入力要因を設定した場合は、全ての入力要因をＯＲ演算で処理し、監視対象機器の制御が必要な入力要因がいずれか１つ以上あれば制御対象として前記機器制御信号を生成する。
【００４６】
前記演算処理、制御信号送信処理、及び確認用送信処理を実行するタイミングは、前述したデマンドコントローラ３から警報信号を受信したときに演算処理を実行し、演算完了と共に制御信号送信処理、及び確認用送信処理を実行する。
【００４７】
前記記憶装置４２は、前記演算処理を実行する演算プログラム（演算ＰＧ）等の各種プログラム、及び必要なデータを格納する。
【００４８】
前記通信コントローラ接続インタフェース４４は、通信コントローラ５を電気的に接続するためのインタフェースである。
【００４９】
前記Ｉ／Ｏユニット接続インタフェース４５は、Ｉ／Ｏユニット１０を電気的に接続するためのインタフェースである。
【００５０】
前記ＰＣ接続インタフェース４６は、ノート型ＰＣ７ｂ等の情報端末を図１に仮想線に示したように電気的に接続するためのインタフェースである。
【００５１】
以上の構成により、警報情報と監視設定データとに基づいて演算処理を実行し、監視対象機器であるエアコン室外機１１及び監視カメラ１２を制御する機器制御信号を生成することができる。
【００５２】
また、ＰＣ接続インタフェース４６にノート型ＰＣ７ｂ等の情報端末を接続し、該情報端末によって記憶装置４２に格納した演算プログラム等の各種プログラムを追加、変更、削除することができ、プログラムのバージョンアップを容易に行うことができる。
【００５３】
次に、図４に示す通信コントローラ５の回路ブロック図と共に、通信コントローラ５の回路構成について説明する。
【００５４】
通信コントローラ５は、バス５３に接続して制御装置５１、記憶装置５２、インターネット通信装置５４、演算コントローラ接続インタフェース（演算ユニット接続手段）５５、及びＰＣ接続インタフェース５６を備えている。
【００５５】
前記制御装置５１は、インターネットを介してデスクトップ型ＰＣ７ａ、ノート型ＰＣ７ｂ、及び携帯電話８等の情報端末に情報公開を行うＷＥＢ公開処理、インターネット越しに受信した前記情報端末からの指示に従い記憶装置５１に格納した監視設定データを更新する設定更新処理、演算コントローラ４から定期的に受信する使用電力量を格納する使用電力量記憶処理、及び監視設定テーブル（後述）に従って電子メールで通報を行う通報処理等の各種処理を、ＷＥＢサーバプログラム等の各種プログラムに従って実行する。
【００５６】
前記記憶装置５２は、ＷＥＢサーバプログラム等の各種プログラム、及び監視設定データ等の必要なデータを格納する。
【００５７】
前記インターネット通信装置５４は、インターネット６に接続して該インターネット６に接続した他の情報端末７（デスクトップ型ＰＣ７ａ及びノート型ＰＣ７ｂ）や携帯電話８（携帯情報端末）と通信を行う装置であり、ルータ又はモデム等の装置で構成する。
【００５８】
前記演算コントローラ接続インタフェース５５は、演算コントローラ４を電気的に接続するためのインタフェースである。
【００５９】
前記ＰＣ接続インタフェース５６は、ノート型ＰＣ７ｂ等の情報端末７を図１に仮想線に示したように電気的に接続するためのインタフェースである。
【００６０】
以上の構成により、ＷＥＢサーバとして機能し監視状況や監視設定データ等をインターネット６により公開することができ、監視設定データの変更をインターネット６越しに許容することができる。
【００６１】
また、ノート型ＰＣ７ｂ等の情報端末７をＰＣ接続インタフェース５６に直接接続し、ＷＥＢサーバプログラムのバージョンアップやホームページデータの更新等を安全に行うことができる。
【００６２】
なお、監視対象機器の監視状況や監視設定データのインターネット６を介した確認、及びインターネット６を介した監視設定データの更新は、限られたユーザのみに許容するようにＩＤとパスワードでログオン制限を行うと良い。
【００６３】
次に、図５に示すＩ／Ｏユニット１０の回路ブロック図と共に、Ｉ／Ｏユニット１０の回路構成について説明する。
【００６４】
Ｉ／Ｏユニット１０は、バス６３に接続して制御装置６１、記憶装置６２、演算コントローラ接続インタフェース（演算ユニット接続手段）６４、監視対象機器接続インタフェース６５、及び表示ランプ６６を備えている。
【００６５】
前記制御装置６１は、演算コントローラ４から受信した機器制御信号が自己を対象としているか否かを識別ＩＤから判定する対象信号判定処理、及び、自己を対象としていると判定した機器制御信号に基づいて接続している監視対象機器（エアコン室外機１１、監視カメラ１２）に対応させてそれぞれ個別に個別制御信号を送信する個別制御信号送信処理等、各種処理を各種プログラムに従って実行する。  
前記記憶装置６２は、各種プログラム、及び必要なデータを格納する。
【００６６】
前記演算コントローラ接続インタフェース６４は、演算コントローラ４を電気的に接続するためのインタフェースである。  
前記監視対象機器接続インタフェース６５は、監視対象機器（前記エアコン室外機１１又は監視カメラ１２）を電気的に接続するためのインタフェースである。
【００６７】
前記表示ランプ６６は、前記監視対象機器接続インタフェース６５に接続可能な監視対象機器と同数を該監視対象機器にそれぞれ対応させて備えており、前記個別制御信号の送信時に、該個別制御信号に応答すべき監視対象機器に対応する表示ランプ６６を点灯する。
【００６８】
以上の構成により、Ｉ／Ｏユニット１０は自己に接続した監視対象機器を自グループとして取扱い、演算コントローラ４から受信した機器制御信号のうち自グループに該当する機器制御信号に従い、自グループ内の各監視対象機器に個別制御信号をそれぞれ送信することができる。
【００６９】
この個別制御信号の送信に対応して表示ランプ６６を点灯させるため、作業者は正しく信号を受信して正しい監視対象機器に信号を送信しているか容易に確認することができる。
【００７０】
なお、情報端末７（デスクトップ型ＰＣ７ａ及びノート型ＰＣ７ｂ）は、ＣＰＵとＲＯＭとＲＡＭで構成する制御装置、液晶ディスプレイやＣＲＴディスプレイで構成する表示装置、キーボード及びマウスやポインタで構成する入力装置、ＬＡＮカード又はＬＡＮボードで構成する通信装置、ハードディスクで構成する記憶装置、及び各種機器を接続可能な接続インタフェースで構成し、ハードディスク内にはブラウザプログラムやメールプログラム等の各種プログラムを格納して該プログラムに従って制御装置が制御動作を実行することは周知のとおりである。
【００７１】
また、携帯電話８は、ＣＰＵとＲＯＭとＲＡＭ（又は不揮発性メモリ）で構成する制御装置、不揮発性メモリで構成する記憶装置、液晶ディスプレイで構成する表示装置、テンキー等のキーボタンで構成する入力装置、アンテナで構成する無線通信装置、及び音声を発するスピーカで構成する発音装置で構成し、不揮発性メモリ内にはブラウザプログラムやメールプログラム等の各種プログラムを格納して該プログラムに従って制御装置が制御動作を実行することは周知のとおりである。
【００７２】
次に、図６〜図９に示すデータ説明図と共に、通信コントローラ５の記憶装置５２に格納する監視設定データについて説明する。
【００７３】
該監視設定データは、運転モード設定テーブル、デマンド制御設定テーブル、初期設定項目テーブル、エアコン機器設定管理テーブル、エアコン機器設定詳細テーブル、日報テーブル、及び監視設定テーブルといった各種テーブルによって構築したデータベースである。
【００７４】
前記運転モード設定テーブルは、図６の（Ａ）に示すように省エネ間引き、間引き間隔、備考１、及び備考２の各項目（フィールド）で構成する。
【００７５】
前記省エネ間引きには、省エネ間引きを停止する場合は「０」を格納し、省エネ運転１を行う場合は「１」を格納し、省エネ運転２を行う場合は「２」を格納する。
【００７６】
前記間引き間隔は、３分間隔であれば「３」を格納し、５分間隔であれば「５５」を格納し、８分間隔であれば「８」を格納する。
【００７７】
前記備考１は、前記省エネ間引きでの省エネ運転１に対する説明や名称等を適宜文字列で入力する。
【００７８】
前記備考２は、前記省エネ間引きでの省エネ運転２に対する説明や名称等を適宜文字列で入力する。
【００７９】
このように構成した運転モード設定テーブルにより、運転モードの設定を保存可能にしている。
【００８０】
前記デマンド制御設定テーブルは、図６の（Ｂ）に示すように、一段、二段、及び三段の項目で構成し、各段階のデマンド運転で遮断ロックを行う場合は「１」を格納し、行わない場合は「０」を格納する。
【００８１】
このように構成したデマンド制御設定テーブルにより、デマンド制御の設定を保存可能にしている。また、前記間引き間隔を３、５、８分から選択可能とし、デマンド停止から復旧時点まで３分、５分、又は８分の起動遅延とすることによって、極小間隔でのＯＮ／ＯＦＦを繰返すことから監視対象機器を保護することができる。
【００８２】
前記初期設定項目テーブルは、図６の（Ｃ）に示すように、契約電力、目標電力、１パルスの重み、時限、及びＡＣ電源の各項目で構成する。  
前記契約電力は、電力会社との契約電力をｋｗ単位で格納する。  
前記目標電力は、目標とする電力をｋｗ単位で格納する。
【００８３】
前記１パルスの重みは、デマンドコントローラ３から受信するパルスが何ｋｗの電力に相当するかを格納する。  
前記時限は、電力会社に支払う電力の算定基準となる時間を分単位で格納する。  
前記ＡＣ電源は、何Ｈｚでの電力供給を受けているかを格納する。
【００８４】
このように構成した初期設定項目テーブルにより、初期設定項目を保存可能にしている。
【００８５】
前記エアコン機器設定管理テーブルは、図７の（Ｄ）に示すように、Ｉ／ＯユニットＮｏ．、省エネ、省エネ間引き設定省エネ１、及び省エネ間引き設定省エネ２の各項目で構成する。
【００８６】
前記Ｉ／ＯユニットＮｏ．は、Ｉ／Ｏユニット１０のＩＤ番号を格納する。  
前記省エネは、省エネを有効にする場合は「１」を格納し、除外する場合は「０」を格納する。
【００８７】
前記省エネ間引き設定省エネ１は、省エネ１で間引きする機器の台数を格納する。  
前記省エネ間引き設定省エネ２は、省エネ２で間引きする機器の台数を格納する。
【００８８】
このように構成したエアコン機器設定管理テーブルにより、エアコン機器設定を保存可能にしている。
【００８９】
前記エアコン機器設定詳細テーブルは、図７の（Ｅ）に示すように、Ｉ／ＯユニットＮｏ．、機器Ｎｏ．、機器接続有無、有効／除外、間引きグループ、デマンド遮断１段設定、デマンド遮断２段設定、及びデマンド遮断３段設定の各項目で構成する。
【００９０】
前記Ｉ／ＯユニットＮｏ．は、Ｉ／ＯユニットのＩＤ番号を格納する。
【００９１】
前記機器Ｎｏ．は、監視対象機器に割当てたＩＤ番号を格納する。
【００９２】
前記機器接続有無は、監視対象機器が接続されていれば「１」を格納し、接続されていなければ「０」を格納する。
【００９３】
前記有効／除外は、監視対象機器に対する個別制御信号による制御を有効とする場合は「１」を格納し、除外する場合は「０」を格納する。
【００９４】
前記間引きグループは、間引き運転を行う場合は「１」を格納し、行わない場合は「０」を格納する。
【００９５】
前記デマンド遮断１段設定は、デマンド遮断１段の設定を有効とする場合は「１」を格納し、除外する場合は「０」を格納する。
【００９６】
前記デマンド遮断２段設定は、デマンド遮断２段の設定を有効とする場合は「１」を格納し、除外する場合は「０」を格納する。
【００９７】
前記デマンド遮断３段設定は、デマンド遮断３段の設定を有効とする場合は「１」を格納し、除外する場合は「０」を格納する。
【００９８】
このように構成したエアコン機器設定詳細テーブルにより、エアコン室外機１１等の監視対象機器に対する詳細設定を保存可能にしている。
【００９９】
前記日報テーブルは、図８に示すように、年月日を格納する項目と、０時〜２３時までの各時間を１時間単位で区分けして各時間帯での使用電力を格納する項目で構成する。
【０１００】
このように構成した日報テーブルにより、日々の使用電力を時間単位で保存可能にしている。
【０１０１】
前記監視設定テーブルは、図９に示すように、ＩＤ、要因、アドレス、ビット、検出方法、メールタイトル、内容、警告添付、ＦＡユーザファイル添付、帳票添付、及びその他の項目で構成する。
【０１０２】
前記ＩＤは、各行のデータ（レコード）に対して順番に連番を付与して重複しない数値で構成する。  
前記要因は、通報を行う要因（きっかけ）を格納する。
【０１０３】
前記アドレスは、通報の送信先のメールアドレス等のアドレスを格納する。
【０１０４】
前記ビットは、ビットを格納する。  
前記検出方法は、検出方法を格納しており、ＯＦＦからＯＮになった時を検出する場合は「０→１」を格納し、逆の場合は「１→０」を格納し、いずれの場合も検出する場合は「０←→１」を格納する。
【０１０５】
前記メールタイトルは、メール送信として通報する際のメールタイトルを格納する。  
前記内容は、メール送信する内容を格納する。
【０１０６】
前記警告添付は、警告データを添付する場合は「１」を格納し、添付しない場合は「０」を格納する。  
前記ＦＡユーザファイル添付は、ＦＡユーザファイルを添付する場合は「１」を格納し、添付しない場合は「０」を格納する。
【０１０７】
前記帳票添付は、日報等の帳票を添付する場合は「１」を格納し、添付しない場合は「０」を格納する。  
このように構成した監視設定テーブルにより、監視の設定を保存可能にしている。
【０１０８】
次に、図１０〜図１７に示す情報端末７の画面イメージ図と共に、情報端末７を用いて通信コントローラ５内の監視設定データを修正し、監視対象機器の運転状況を監視し、通報設定を設定する処理について説明する。
【０１０９】
利用者の機器監視担当者、又は複数機器監視システム１の提供業者の作業員が、情報端末７を用いてブラウザプログラムを起動し、所定のＵＲＬ（Uniform Resource Locator）を入力して通信コントローラ５のＷＥＢサーバプログラムが提供するホームページにアクセスすると、図１０の画面イメージ図に示すように、情報端末７のモニタにトップ画面８０を表示する。
【０１１０】
該トップ画面８０は、画面上を狭い左側フレームと広い右側フレームに２つに分割し、左側フレームにはメニューボタン（８１〜９１）を備え、右側フレームにはタッチされたメニューボタンに対応する内容画面９２を表示する。
【０１１１】
なお、トップ画面８０の内容画面９２は、オフィスの写真画像等を配置してデザインしたデザイン画面を表示すれば良いが、監視カメラ１２からの動画映像を表示するように構成する等、なんらかの機能を付加しても良い。
【０１１２】
前記メニューボタンとしては、上から順にＴＯＰボタン８１、運転モード表示ボタン８２、エアコン機器設定表示ボタン８３、エアコン機器運転状況ボタン８４、デマンド監視グラフボタン８５、日報デマンドボタン８６、日報デマンドダウンロードボタン８７、日報帳票ボタン８８、月報帳票ボタン８９、監視設定ボタン９０、及び基本設定画面ボタン９１を縦に並べて配設する。各ボタンがクリックされると、以降に説明する各画面をクリックされたボタンに対応して表示する。
【０１１３】
前記ＴＯＰボタン８１がクリックされると、内容画面９２に図１０に示したデザイン画面を表示する。
【０１１４】
前記運転モード表示ボタン８２がクリックされると、運転モード更新処理を開始し、内容画面９２に図１１の画面イメージ図に示す運転モード表示画面を表示する。このとき、通信コントローラ５の制御装置５１が実行するＷＥＢサーバプログラムは、図６と共に説明した運転モード設定テーブル、デマンド制御設定テーブル、及び初期設定項目テーブルを参照し、各テーブル内に格納されてデータに従って運転モード表示画面を表示する。
【０１１５】
該運転モード表示画面は、省エネ間引きチェックボタン１０１、間引き間隔チェックボタン１０２、備考１テキストボックス１０３、備考２テキストボックス１０４、デマンド制御設定チェックボックス１０５、契約電力テキストボックス１０６、目標電力テキストボックス１０７、１パルスの重みテキストボックス１０８、時限テキストボックス１０９、ＡＣ電源テキストボックス１１０、時刻設定表示部１１１、設定ボタン１１２、及びキャンセルボタン１１３で構成する。
【０１１６】
設定ボタン１１２がクリックされると、設定された画面内容を記憶装置５２内の運転モード設定テーブル、デマンド制御設定テーブル、及び初期設定項目テーブルに保存し、設定を更新して運転モード更新処理を完了する。
【０１１７】
キャンセルボタン１１３がクリックされると、記憶装置５２の内容を更新しないで画面上の表示内容を破棄し、運転モード更新処理をキャンセルする。
【０１１８】
前記エアコン機器設定表示ボタン８３がクリックされると、エアコン機器設定更新処理を開始して内容画面９２に図１２に示すエアコン機器設定表示画面を表示する。このとき、通信コントローラ５の制御装置５１が実行するＷＥＢサーバプログラムは、図７と共に説明したエアコン機器設定管理テーブル、エアコン機器設定詳細テーブルを参照し、各テーブル内に格納されたデータに従ってエアコン機器設定表示画面を表示する。
【０１１９】
該エアコン機器設定表示画面は、Ｉ／ＯユニットＮｏ．コンボボックス１２１、省エネコンボボックス１２２、有効／除外チェックボックス１２３、間引きグループチェックボックス１２４、デマンド遮断１段設定チェックボックス１２５、デマンド遮断２段設定チェックボックス１２６、デマンド遮断３段設定チェックボックス１２７、省エネ１間引き台数コンボボックス１２８、省エネ２間引き台数コンボボックス１２９、設定ボタン１３０、及びキャンセルボタン１３１で構成する。
【０１２０】
設定ボタン１３０がクリックされると、設定された画面内容を記憶装置５２内のエアコン機器設定管理テーブル及びエアコン機器設定詳細テーブルに保存し、設定を更新してエアコン機器設定更新処理を完了する。
【０１２１】
キャンセルボタン１３１がクリックされると、記憶装置５２の内容を更新しないで画面上の表示内容を破棄し、エアコン機器設定更新処理をキャンセルする。
【０１２２】
前記エアコン機器運転状況ボタン８４がクリックされると、エアコン機器運転状況確認処理を開始し、内容画面９２に図１３に示すエアコン機器運転状況画面を表示する。このとき、通信コントローラ５の制御装置５１が実行するＷＥＢサーバプログラムは、演算コントローラ４から受信した最新の機器制御信号を受信し、該機器制御信号内の各データに従ってエアコン機器運転状況画面を表示する。
【０１２３】
該エアコン機器運転状況画面は、Ｉ／ＯユニットＮｏ．コンボボックス１４１、連続表示ボタン１４２、警報状態表示部１４３、省エネ運転表示ボックス１４４、Ｉ／ＯユニットＮｏ．１４５、ＧＯボタン１４６、通信ステータスマーク１４７、及び機器状態表示マーク１４９で構成する。
【０１２４】
前記Ｉ／ＯユニットＮｏ．コンボボックス１４１で番号が選択されて連続表示ボタン１４２がクリックされると、画面上に表示している最上段のＩ／ＯユニットをＩ／ＯユニットＮｏ．コンボボックス１４１で選択された番号のＩ／Ｏユニットに変更し、以降下へ順番に次の番号のＩ／Ｏユニットについて状態表示を行う。
【０１２５】
前記警報状態表示部１４３は、現在の警報の段階を表示する。  
前記ＧＯボタン１４６は、クリックされるとその段のＩ／ＯユニットＮｏ．のエアコン機器設定表示画面（図１２）を表示する。
【０１２６】
前記通信ステータスマーク１４７は、該当するＩ／Ｏユニット１０と通信が正常に行われているか否かを〇×で表示する。  
前記機器状態表示マーク１４９は、監視対象機器が運転状態か停止状態か監視対象から除外されているかを表示する。また、該機器状態表示マーク１４９がダブルクリックされると、現在の状態が運転であれば停止に移行し、停止であれば除外に移行し、除外であれば運転に移行するようにして、状態切替えを実行する。該状態切替えは、システム構築時の接続確認に利用する。
【０１２７】
このエアコン機器運転状況画面で実行するエアコン機器運転状況確認処理は、他のメニューボタン（８１〜８３，８５〜９１）がクリックされると終了する。なお、前記エアコン機器設定更新処理と前記運転モード更新処理は、制御設定情報（運転モード設定テーブル、デマンド制御設定テーブル、初期設定項目テーブル、エアコン機器設定管理テーブル、エアコン機器設定詳細テーブル、及び監視設定テーブル）の変更を許容する設定変更処理として機能する。
【０１２８】
前記デマンド監視グラフボタン８５がクリックされると、内容画面９２に図１４に示すデマンド監視グラフ画面を表示する。このとき、通信コントローラ５の制御装置５１が実行するＷＥＢサーバプログラムは、記憶装置５２内の初期設定項目テーブル（図６の（Ｃ））を参照すると共に、演算コントローラ４から現在デマンド、予測デマンド、調整電力、残り時間、警報段階といった必要なデータを受信し、デマンド監視グラフ画面を表示する。
【０１２９】
該デマンド監視グラフ画面は、現在時刻表示部１５１、現在デマンド表示部１５２、予測デマンド表示部１５３、調整電力表示部１５４、目標電力表示部１５５、残り時間表示部１５６、監視グラフ表示部１５７、調整状態表示部１５８、デマンド負荷制御表示部１５９、及びバッテリ警報表示部１６０の各項目で構成する。
【０１３０】
前記現在デマンド表示部１５２は、現在のデマンドを表示する。  
前記予測デマンド表示部１５３は、予測するデマンドを表示する。  
前記調整電力表示部１５４は、現在調整している電力を表示する。
【０１３１】
前記目標電力表示部１５５は、初期設定項目テーブル（図６の（Ｃ））に設定されている目標電力を表示する。  
前記残り時間表示部１５６は、電力料金算出の単位である時間が経過するまでの残り時間を表示する。
【０１３２】
前記監視グラフ表示部１５７は、時間と累積使用電力との関係を折れ線グラフにグラフ化して表示する。  
前記調整状態表示部１５８は、デマンド負荷制御が不要な「余裕」状態かデマンド負荷制御が必要な「経過」状態かを表示する。
【０１３３】
前記デマンド負荷制御表示部１５９は、デマンド負荷制御がどの段階であるかを表示する。  
前記バッテリ警報表示部１６０は、バッテリの補償方法を表示する。
【０１３４】
前記日報デマンドボタン８６がクリックされると、内容画面９２に図１５に示す日報デマンド画面を表示する。このとき、通信コントローラ５の制御装置５１が実行するＷＥＢサーバプログラムは、図８と共に説明した日報テーブルを参照し、各テーブル内に格納されたデータに従って日報デマンド画面を表示する。
【０１３５】
該日報デマンド画面は、前日ボタン１７１、表示データ日付コンボボックス１７２、ＧＯボタン１７３、翌日ボタン１７４、及びグラフ表示部１７５の各項目で構成する。
【０１３６】
前日ボタン１７１及び翌日ボタン１７４は、グラフ表示部１に表示する電力量を現在の表示日の前日又は翌日に切替えるボタンである。
【０１３７】
表示データ日付コンボボックス１７２及びＧＯボタン１７３は、ＧＯボタン１７３がクリックされると、表示データ日付コンボボックス１７２で選択された日付の日報をグラフ表示部１７５に表示する。
【０１３８】
前記監視設定ボタン９０がクリックされると、監視設定処理を開始し、内容画面９２に図１６に示す監視設定画面を表示する。
【０１３９】
該監視設定画面は、監視周期の設定ボタン１８１、電子メールの送信先の追加ボタン１８２、電子メールの添付ファイルの設定ボタン１８３、及びイベントメール発振要因設定ボタン１８４の各項目で構成する。
【０１４０】
前記監視周期の設定ボタン１８１は、クリックされることで監視周期を設定する画面を表示し、監視周期の設定を許容する。
【０１４１】
前記電子メールの送信先の追加ボタン１８２は、クリックされることで電子メールの送信先として電子メールアドレスと利用者名等の登録画面を表示し、送信先の追加を許容する。
【０１４２】
前記電子メールの添付ファイルの設定ボタン１８３は、クリックされることでメール添付ファイル設定画面を表示し、電子メールに添付可能なファイルの設定を許容する。
【０１４３】
前記イベントメール発信要因設定ボタン１８４は、クリックされることで図１７に示すイベントメール発信要因設定画面を表示する。このとき、通信コントローラ５の制御装置５１が実行するＷＥＢサーバプログラムは、図９と共に説明した監視設定テーブルを参照し、各テーブル内に格納されたデータに従ってイベントメール発信要因設定画面を表示する。
【０１４４】
該イベントメール発信要因設定画面は、要因コンボボックス１９１、アドレステキストボックス１９２、ビットテキストボックス１９３、検出方法テキストボックス１９４、内容テキストボックス１９６、及び添付ファイルの指定チェックボックス１９７の各項目と、設定ボタン１９８及びキャンセルボタン１９９を表示する。
【０１４５】
前記設定ボタン１９８がクリックされると、監視設定テーブルに格納されているデータを入力されたデータに更新して監視設定処理を完了し、キャンセルボタン１９９がクリックされると、監視設定テーブルのデータは更新せず画面上のデータを破棄して監視設定処理をキャンセルする。
【０１４６】
この監視設定処理により、要因コンボボックス１９１で設定された要因の発生を検出方法テキストボックス１９４での検出方法で検出したときに、アドレステキストボックス１９２に入力された電子メールアドレスへ添付ファイルつきの電子メールを送信する通報処理を実行することができる。
【０１４７】
このときの添付ファイルとしては、テキストデータ、画像データ（静止画データ又は動画データ）、又は所定のアプリケーションデータ等、適宜のファイルを設定することができる。
【０１４８】
以上に説明した構成及び動作により、利用者は監視対象機器の監視項目を自由に設定することができる。  
また、通報が必要な項目をイベントメール発信要因設定画面で自由に設定し、緊急性の高いデータや定期的に受信して管理が必要なデータ等を利用者のデスクトップ型ＰＣ７ａ、ノート型ＰＣ７ｂ、又は携帯電話８といった情報端末に送信することができる。
【０１４９】
次に、図１８に示すフローチャートと共に、複数機器監視システム１の演算コントローラ４とＩ／Ｏユニット１０の接続、及びＩ／Ｏユニット１０と監視対象機器の接続の確認方法について説明する。
【０１５０】
まず作業員がＩ／Ｏユニット１０の近傍でノート型ＰＣ７ｂを使用し、ＰＨＳや携帯電話を用いたインターネット６との通信で通信コントローラ５にアクセスしてエアコン機器運転状況画面（図１３）を表示する（ステップｎ１）。
【０１５１】
ここで、Ｉ／Ｏユニット１０の表示ランプ６６の点灯と、エアコン機器運転状況画面の運転状態で該当する機器番号１４８の機器状態表示マーク１４９とを比較し、状態が一致しているか確認する（ステップｎ２）。
【０１５２】
ここで状態の一致とは、表示ランプ６６が点灯している状態に対して機器状態表示マーク１４９が運転状態にあり、表示ランプ６６が消灯している状態に対して機器状態表示マーク１４９が停止状態にあることを指す。
【０１５３】
作業者は必要に応じて機器状態表示マーク１４９をダブルクリックし、運転／停止／除外の切替えを実行して正常に動作しているか確認する。
【０１５４】
またこのとき、エアコン機器運転状況画面上の通信ステータスマーク１４７により、Ｉ／Ｏユニット１０が演算コントローラ４と正常に通信しているかも確認する。
【０１５５】
これらの確認により、演算コントローラ４から送信される機器制御信号のうち、自己のＩＤ番号が割当てられた機器制御信号にのみＩ／Ｏユニット１０が正常応答しているか否かが判定できる。
【０１５６】
前記確認でＩ／Ｏユニット１０が正常動作していなかった場合には（ステップｎ３）、Ｉ／Ｏユニット１０と演算コントローラ４との間で断線や接触不良等がないか確認し、正常動作するまで再接続や修理等のメンテナンスを行う（ステップｎ４）。
【０１５７】
Ｉ／Ｏユニット１０が正常動作していれば、作業員は監視対象機器、例えばエアコン室外機１１の近傍に移動する。
【０１５８】
作業員はノート型ＰＣ７ｂでエアコン機器運転状況画面（図１３）を操作し、エアコン室外機１１に該当する機器番号１４８の運転／停止／除外を通信ステータスマーク１４７のダブルクリックにより切替え、正しい信号が来ているか動作確認する（ステップｎ５）。
【０１５９】
このとき、ノート型ＰＣ７ｂでの切替えに従ってエアコン室外機１１が動作すれば正常に接続できたことが確認できるが、正常に動作しなかった場合にどこに問題があるかを発見する必要が生じる。
【０１６０】
従って、エアコン室外機１１に異常がないにもかかわらずエアコン機器運転状況画面での制御どおりに正常に動作（ＯＮ／ＯＦＦ切替え）しなかった場合は（ステップｎ６）、作業者は機器番号１４８の順番に通信ステータスマーク１４７をダブルクリックし、どの機器番号１４８でエアコン室外機１１が応答するかを確認する（ステップｎ７）。
【０１６１】
この確認方法により、応答があった場合は応答した機器番号１４８のＩ／Ｏユニット１０の接続端子に誤って接続していることが確認でき（ステップｎ８）、全ての機器番号１４８の確認をしてもエアコン室外機１１が応答しなかった場合は接続されていないか断線していることが確認できる（ステップｎ９）。
【０１６２】
このようにして応答無しの原因を追求するか、前記ステップｎ６でエアコン室外機１１が正常に応答した場合に、現在確認中のＩ／Ｏユニット１０のグループに接続されている全てのエアコン室外機１１（監視対象機器）について動作確認が終了したか確認する（ステップｎ１０）。
【０１６３】
全てのエアコン室外機１１について動作確認が終了するまで、次のエアコン室外機１１（監視対象機器）の近傍へ移動し（ステップｎ１１）、前記ステップｎ５〜ｎ９の処理を繰り返して作業を完了する。
【０１６４】
以上の確認方法により、接続ミス等を容易に効率よく発見して複数機器監視システム１の構築を完了する複数機器監視システム構築方法を実施することができる。
【０１６５】
また、複数機器監視システム１の構築時に限らず構築後の運用でのトラブル発生時にも、配線ミスの確認や故障箇所の特定等を容易に行うことができる。
【０１６６】
特に、大企業や大型マンション等、監視対象機器が膨大な大規模の複数機器監視システム１の構築時やトラブル発生時に、システム全体の接続を効率的に確認することができ、問題箇所を容易に特定することができる。
【０１６７】
また、１人の作業者で容易に確認作業と問題箇所特定作業を行うことができ、人件費の削減と作業者の負担軽減を実現することができる。
【０１６８】
以上に説明した複数機器監視システム１により、監視対象機器はＩ／Ｏユニット１０単位でグループ化して設定内容の確認と変更が行え、設備の管理者等にとって仕組みの理解が容易であり、また管理も容易となって利便性が向上する。
【０１６９】
また、利用者はメール送信するタイミングと送信内容を自由に設定することができるため、利用者に応じた柔軟な利用による利便性向上を図ることができる。
【０１７０】
例えば、日報データをＣＳＶ（Comma Separated Values）等の汎用データフォーマットで指定の電子メールアドレスに定期的に送信し、パーソナルコンピュータに自動取り込みして二次利用を図るといったことが容易に実現可能となる。
【０１７１】
他にも、使用電力量が夜間の無人状況の電力量まで下がったときに社長の携帯電話に電子メール通知が行くように、イベントメール発信要因設定画面（図１７）の設定を行うことが考えられる。これにより、社員が完全に帰社したおよその時刻を知ることができ、残業状況を常時把握して人事計画に迅速に反映させるといったことが可能となる。
【０１７２】
なお、監視対象機器はグループ単位で管理したが、Ｉ／Ｏユニット１０単位のグループに関係なく全体でトータルに管理することもできる。すなわち、監視対象機器は図１２に示したようにグループ単位で解りやすく表示して制御内容を設定できるが、その設定自体はグループに依存していないため、監視対象機器の設置状況を勘案して全体的に設計して設定することもできる。
【０１７３】
この発明の構成と、上述の実施形態との対応において、
この発明の複数機器統合監視システムは、実施形態の複数機器監視システム１に対応し、
以下同様に、
演算ユニットは、演算コントローラ４に対応し、
通信ユニットは、通信コントローラ５に対応し、
電気通信回線は、インターネット６に対応し、
他の装置は、デスクトップ型ＰＣ７ａ及びノート型ＰＣ７ｂに対応し、
携帯情報端末は、ノート型ＰＣ７ｂに対応し、
接続ユニットは、Ｉ／Ｏユニット１０に対応し、
通信ユニットの制御手段は、制御装置５１に対応し、
記憶手段は、記憶装置５２に対応し、
通信手段は、インターネット通信装置５４に対応し、
送信信号制御手段は、制御装置６１に対応し、
受信手段は、演算コントローラ接続インタフェース６４に対応し、
監視対象機器接続手段は、監視対象機器接続インタフェース６５に対応し、
表示手段は、表示ランプ６６に対応し、
接続検証方法は、ステップｎ１〜ｎ１１に対応し、
制御設定情報は、運転モード設定テーブル、デマンド制御設定テーブル、初期設定項目テーブル、エアコン機器設定管理テーブル、エアコン機器設定詳細テーブル、及び監視設定テーブルに対応し、
送信設定処理は、監視設定処理に対応し、
送信処理は、通報処理に対応し、
複数機器統合監視システム構築方法は、複数機器監視システム構築方法に対応するも、
この発明は、上述の実施形態の構成のみに限定されるものではなく、多くの実施の形態を得ることができる。
【図面の簡単な説明】
【０１７４】
【図１】複数機器監視システムのシステム構成図。
【図２】デマンドコントローラの回路ブロック図。
【図３】演算コントローラの回路ブロック図。
【図４】通信コントローラの回路ブロック図。
【図５】Ｉ／Ｏユニットの回路ブロック図。
【図６】運転モード設定テーブル、デマンド制御設定テーブル、及び初期設定項目テーブルのデータ説明図。
【図７】エアコン機器設定管理テーブル及びエアコン機器設定詳細テーブルのデータ説明図。
【図８】日報テーブルのデータ説明図。
【図９】監視設定テーブルのデータ説明図。
【図１０】情報端末に表示するトップ画面の画面イメージ図。
【図１１】情報端末に表示する運転モード表示画面の画面イメージ図。
【図１２】情報端末に表示するエアコン機器設定表示画面の画面イメージ図。
【図１３】情報端末に表示するエアコン機器運転状況画面の画面イメージ図。
【図１４】情報端末に表示するデマンド監視グラフ画面の画面イメージ図。
【図１５】情報端末に表示する日報デマンド画面の画面イメージ図。
【図１６】情報端末に表示する監視設定画面の画面イメージ図。
【図１７】情報端末に表示するイベントメール発信要因設定画面の画面イメージ図。
【図１８】複数機器監視システムの接続確認方法のフローチャート。
【符号の説明】
【０１７５】
１…複数機器監視システム
４…演算コントローラ
５…通信コントローラ
６…インターネット
７ａ…デスクトップ型ＰＣ
７ｂ…ノート型ＰＣ
１０…Ｉ／Ｏユニット
５１…制御装置
５２…記憶装置
５４…インターネット通信装置
６４…演算コントローラ接続インタフェース
６５…監視対象機器接続インタフェース
６６…表示ランプ
【図１】
2005223786.tif 000003
【図２】
2005223786.tif 000004
【図３】
2005223786.tif 000005
【図４】
2005223786.tif 000006
【図５】
2005223786.tif 000007
【図６】
2005223786.tif 000008
【図７】
2005223786.tif 000009
【図８】
2005223786.tif 000010
【図９】
2005223786.tif 000011
【図１０】
2005223786.tif 000012
【図１１】
2005223786.tif 000013
【図１２】
2005223786.tif 000014
【図１３】
2005223786.tif 000015
【図１４】
2005223786.tif 000016
【図１５】
2005223786.tif 000017
【図１６】
2005223786.tif 000018
【図１７】
2005223786.tif 000019
【図１８】
2005223786.tif 000020